(57)【要約】【課題】  雲台や三脚などの付帯機器をいちいち携行することなく、携帯型カメラのみで撮影部のスムーズな画角調整を行うことができ、シャッターチャンス、視点移動のタイミングを逃さすに最良のカメラ撮影を容易に行うことができる携帯型カメラにおける撮影部の画角調整構造を提供する。【解決手段】  チルト機能とズーム機能を有する撮影部２と、画像を表示するモニター部４と、映像処理回路等を有するカメラ本体１ａとからなる携帯型カメラ１であって、上記カメラ本体１ａに、傾動自在かつ伸縮自在なアーム機構５を取り付け、該アーム機構５の先端部に撮影部２を装着した。【選択図】  図１
2005065175.tif 000002
【特許請求の範囲】
【請求項１】
チルト機能とズーム機能を有する撮影部と、画像を表示するモニター部と、映像処理回路等を有するカメラ本体とからなる携帯型カメラであって、上記カメラ本体に、傾動自在かつ伸縮自在なアーム機構を取り付け、該アーム機構の先端部に撮影部を装着したことを特徴とする携帯型カメラにおける撮影部の画角調整構造。
【請求項２】
上記アーム機構は、径の異なる複数の筒体を同軸状に挿通してなる伸縮アーム部と、該アーム部の先端に設けられて撮影部を載置固定する回転駆動部と、伸縮アーム部の基端側を、カメラ本体に対して左右方向に傾動する傾動駆動部とからなり、上記伸縮アーム部の伸縮作動、回転駆動部の回転作動および伸縮アーム部の左右方向への傾動作動は、カメラ本体から電力供給を受ける複数の駆動モータにより各別に駆動するように構成されていることを特徴とする請求項１記載の携帯型カメラにおける撮影部の画角調整構造。
【請求項３】
上記カメラ本体には、その上面に伸縮アーム部の伸縮作動を行う第１のスイッチと、同アーム部の左右傾動作動を行う第２のスイッチと、撮影部のズーム作動を調整する第３のスイッチとを備え、上記カメラ本体の背面部の上下位置に、録画のスタート／ストップを行う第４のスイッチと、撮影部の上下チルトおよび回転駆動部の左右方向回転を切り換えるマルチスイッチ機能を有する第５のスイッチを備えて、撮影者が左右何れか一方の手でカメラ本体を把持した際に、当該把持した手の人差し指、中指または薬指の選択的操作で、第１ないし第３のスイッチを操作し、かつ親指の上下方向の選択的操作で、第４のスイッチと第５のスイッチを操作するように構成したことを特徴とする請求項１または２に記載の携帯型カメラにおける撮影部の画角調整構造。
【発明の詳細な説明】
【技術分野】
【０００１】
本発明は、携帯型カメラに係り、詳しくは、撮影部をカメラ本体に対して上下および左右方向に移動可能に構成し、カメラ本体に撮影部を内蔵した構成の携帯型カメラの画角調整範囲を大幅に拡大することができ、従来なし得なかったカメラ撮影の可能性を向上させることができる携帯型カメラにおける撮影部の画角調整構造に関するものである。
【背景技術】
【０００２】
近年において、写真機、ビデオカメラなどの携帯型カメラは、ディジタル技術の発展とともに小型軽量化が促進されて一般家庭での使用も普及してきており、片手でカメラ本体を把持した状態で、モニターを見ながらズーム操作、スタート／ストップの操作、等の撮影に必要な各種操作が簡単に行えるようになっている。
【０００３】
ところで、本発明の出願人は、かねてから上述したような携帯型カメラで撮影を実際に行うにあたって、例えば撮影している目標物が移動した場合や、多数の人々が密集するような場所でその前方にある目標物を撮影する時に、素早く目標物にカメラ本体を向けて焦点を合わせる、あるいはカメラ本体を把持した手を高く掲げなければならない、という点で少なからず適切なカメラ操作を行えないことを実感しており、せっかくのシャッターチャンス、視点移動のタイミングを逃してしまう、というこの実用上の欠点は、従来の携帯型カメラがカメラ本体の前部に撮影部を固定していることに起因していると感じていた。
【０００４】
そして、上記の欠点を解消する手段として従来のカメラ用三脚を電動リモコンで自動的に昇降させる電動三脚の構成、あるいはカメラ用三脚の頂部に取り付ける雲台を電動駆動してカメラのパンやチルトを電気的に行う電動雲台の構成も提案されている。
【特許文献１】特願平１０−３２６５０６（特開２０００−１４７６４３公報）  しかしながら、上記提案のものでは携帯型カメラ本体が小型軽量化されているにもかかわらず、雲台と三脚を付帯機器として携行しなければならないため、大がかりな装備となり、また三脚の設置場所なども限定されてしまい、カメラ本体のみで手軽に画角調整を行える携帯型カメラの出現が熱望されていた。
【発明の開示】
【発明が解決しようとする課題】
【０００５】
本発明は上記のような実情に鑑み、全く新しい構想に基づいて創案されたものであって、その意図するところは、雲台や三脚などの付帯機器をいちいち携行することなく、携帯型カメラのみで撮影部のスムーズな画角調整を行うことができ、シャッターチャンス、視点移動のタイミングを逃さすに最良のカメラ撮影を容易に行うことができる携帯型カメラにおける撮影部の画角調整構造を提供することを課題とするものである。
【課題を解決するための手段】
【０００６】
上記課題を解決するため、本発明が採用した第１の技術的手段は、チルト機能とズーム機能を有する撮影部と、画像を表示するモニター部と、映像処理回路等を有するカメラ本体とからなる携帯型カメラであって、上記カメラ本体に、傾動自在かつ伸縮自在なアーム機構を取り付け、該アーム機構の先端部に撮影部を装着したことを特徴とするものである。
【０００７】
本発明が採用した第２の技術的手段は、上記アーム機構は、径の異なる複数の筒体を同軸状に挿通してなる伸縮アーム部と、該アーム部の先端に設けられて撮影部を載置固定する回転駆動部と、伸縮アーム部の基端側を、カメラ本体に対して左右方向に傾動する傾動駆動部とからなり、上記伸縮アーム部の伸縮作動、回転駆動部の回転作動および伸縮アーム部の左右方向への傾動作動は、カメラ本体から電力供給を受ける複数の駆動モータにより各別に駆動するように構成されていることを特徴とするものである。
【０００８】
本発明が採用した第３の技術的手段は、上記カメラ本体には、その上面に伸縮アーム部の伸縮作動を行う第１のスイッチと、同アーム部の左右傾動作動を行う第２のスイッチと、撮影部のズーム作動を調整する第３のスイッチとを備え、上記カメラ本体の背面部の上下位置に、録画のスタート／ストップを行う第４のスイッチと、撮影部の上下チルトおよび回転駆動部の左右方向回転を切り換えるマルチスイッチ機能を有する第５のスイッチを備えて、撮影者が左右何れか一方の手でカメラ本体を把持した際に、当該把持した手の人差し指、中指または薬指の選択的操作で、第１ないし第３のスイッチを操作し、かつ親指の上下方向の選択的操作で、第４のスイッチと第５のスイッチを操作するように構成したことを特徴とするものである。
【発明の効果】
【０００９】
したがって、本発明によれば、カメラ本体に対して撮影部が上下、左右、前後に自由に移動できるので、カメラ本体を殊更大きく移動操作することなく、画角調整の自由度を大幅に向上させることができ、撮影の目標物に障害となるような人、物がカメラ前方に存在していても、これらの影響を受けずに目標物を的確に撮影し得て、携帯型カメラの操作性と撮影範囲の自由度を著しく向上させることができる。
【発明を実施するための最良の形態】
【００１０】
携帯型カメラのカメラ本体に、傾動自在かつ伸縮自在なアーム機構を取り付け、その先端部に撮影部を装着した。
【実施例】
【００１１】
図１および図２において、１は本発明の撮影部２の画角調整構造を備えた携帯型カメラ（ビデオ撮影用カメラ）であって、該携帯型カメラ１は、カメラ本体１ａの一側にビデオカセットテープを挿脱するマガジン収納部３を設け、かつ他側に撮影部２の画像を表示する液晶モニター部４を開閉自在かつ角度自在に備えると共に、上記カメラ本体１ａの上面に、後述するアーム機構５の伸縮アーム部６を伸縮作動するスライド式の第１のスイッチ７ａおよび同伸縮アーム部６の左右傾動を行う第２のスイッチ７ｂと、撮影部２のズーム作動を調整する同じくスライド式の第３のスイッチ８を備え、更にカメラ本体１ａの背面部には、ファインダー９の下方に位置して、録画のスタート／ストップを行う第４のスイッチ１０および撮影部２の上下チルト動作と左右方向のパン動作を行うマルチスイッチ式の第５のスイッチ１１が備えられて携帯型カメラ１が構成されている。
【００１２】
上記アーム機構５は、図３に示すように、径の異なる３つの筒体６ａ、６ｂ、６ｃを同軸状に挿通して形成された伸縮アーム部６と、その先端に設けられて撮影部２を載置固定する回転駆動部５ａと、上記伸縮アーム部６の基端に位置して設けられた回動ブロック５ｂで構成されており、該回動ブロック５ｂ内に挿通固定された回動軸５ｂ´は、カメラ本体１ａに内蔵されたギヤ機構付駆動モータＭ１の正逆回転駆動に連動連結されて、カメラ本体１ａに対して左右方向に傾動する傾動駆動部１２を構成すると共に、上記伸縮アーム部６内には、回転駆動部５ａの下面から筒体６ｃ、６ｂを経て基端の筒体６ａに至る間に、巻き尺、測長スケール等に使用される鋼製パネ材からなる伸縮駆動用テープ１３が接続されており、上記回動ブロック５ｂに固定された駆動モータＭ２の駆動により巻取ドラム１４を正逆回転させて、当該テープ１３の繰り出し作動で伸縮アーム部６の伸長作動を行い、伸縮駆動用テープ１３の巻取ドラム１４による巻取作動で伸縮アーム部６を縮入作動するように構成されている。
【００１３】
一方、前記撮影部２は、図４（ａ）（ｂ）に示すように、ズーム機能を有する撮影レンズ１５をコ字形に曲成したブラケット１６に支持軸１６ａを介して取り付け、該支持軸１６ａの一端に軸支した従動ギヤ１７を、駆動モータＭ３の駆動ギヤ１８に噛合させて上記撮影レンズ１５を、当該駆動モータＭ３の正逆回転駆動により上下揺動すると共に、上記撮影レンズ１５、ブラケット１６、駆動モータＭ３等は、基盤１８上に枢支したターンテーブル１９に載置固定されており、該ターンテーブル１９を上下に貫通する駆動モータＭ４の駆動ギヤ２０を、ターンテーブル１９の下面に同軸状に軸着した従動ギヤ２１に噛合させて、駆動モータＭ４の正逆回転駆動でターンテーブル１９上の撮影部２を左右方向に回転駆動（左右パーン）するように回転駆動部５ａが構成されている。
【００１４】
次に、上記した各部の駆動を制御する制御構成について説明する。
図５および図６において、前記第１〜第５のスイッチ７ａ、７ｂ、８、１０、１１は、カメラ本体１ａに内蔵された駆動制御部２２に接点情報がそれぞれ入力されるようになっている。上記第１のスイッチ７ａは、これを「上」側にスライド操作している間だけ接点情報が駆動制御部２２に送出されて、アーム機構５の伸縮アーム部６を駆動モータＭ２を介して伸長作動し、「下」側にスライド操作している間だけ接点情報が駆動制御部２２に送出されて、伸縮アーム部６を縮入作動するものであり、撮影者がカメラ本体１ａを把持した状態で、上記第１のスイッチ７ａのスライド操作を停止した時（具体的には中指を当該スイッチ７ａから離した時）、第１のスイッチ７ａは直ちに「上」「下」間のスライド中立位置に復帰して接点情報の送出が停止され、伸縮アーム部６はその時点で現状の伸縮位置に保持されるようになっている。
【００１５】
このような第１のスイッチ７ａの制御動作は、目的機能の異なる他のスイッチ７ｂ、８、１０、１１でも同様の制御動作となり、カメラ本体１ａを把持した撮影者が上記各スイッチの何れか１つ、あるいは複数のスイッチを同時に操作することにより、多彩な撮影効果を有する撮影部２の画角調整を広範囲かつ容易に行うことができるように構成されている。また、録画のスタート／ストップを行う第４のスイッチ１０の接点情報は、駆動制御部２２を介して図示しない録画制御部に送出され、録画メモリ（録画テープ）等に画像とともに音声の記録が当該録画制御部で行われる。なお、１ｂはカメラ本体１ａの電源をオンオフする電源スイッチである。
【００１６】
本発明は叙上のように構成されているので、通常撮影において携帯型カメラ１を使用する場合には、アーム機構５の伸縮アーム部６をカメラ本体１ａに対して直立状態で最縮入位置に保持すれば良い。この状態においても、撮影部２の撮影レンズ１５のズーム機能、回転駆動部５ａによる左右方向のパーン機能およびチルト機能は、第３〜第５のスイッチ８、１０、１１により有効に制御できるので、従来のような撮影レンズがカメラ本体に固定されている携帯型カメラの構成に比して、その画角調整の範囲を大幅に向上させることができ、撮影者はカメラ本体１ａを把持した撮影姿勢を変化させることなく、液晶モニター部４の画像を確認しながら多彩な撮影効果を存分に堪能することができる。
【００１７】
また、アーム機構５の伸縮アーム部６を目標物に適宜合わせて伸長させておくことにより、撮影している当該目標物が移動した場合にも、撮影者はカメラ本体１ａを把持した撮影姿勢を変化させることなく、液晶モニター部４の画像を確認しながら、第１〜第５のスイッチ７ａ、７ｂ、８、１０、１１の何れか１つ、あるいは複数のスイッチを同時に操作して目標物の移動に的確に追従することができ、例えば図７（ａ）（ｂ）に示すように、伸縮アーム部６を第１のスイッチ７ａで伸長作動させながら第５のスイッチ１１により撮影部２を左右方向にパーンさせたり、伸縮アーム部６を第２のスイッチ７ｂで左右方向に傾動させながら第５のスイッチ１１により撮影部２を上下方向にチルトする、等の従来の携帯型カメラでは全く奏し得ない多彩な画角調整変化による撮影効果を、携帯型カメラ１のみの撮影部２のスムーズな画角調整で容易に利用することができ、シャッターチャンス、撮影視点移動のタイミングを逃さすに最良のカメラ撮影を簡単に行うことができる。
【００１８】
更に、撮影の障害物となる多数の人々が密集するような場所で、その前方にある目標物を携帯型カメラ１で撮影する場合でも、素早く目標物にカメラ本体１ａを向けて焦点を合わせたり、当該カメラ本体１ａを把持した手を高く掲げる、などの撮影姿勢として不適切なカメラ操作を伴うことなく、伸縮アーム部６を第１のスイッチ７ａで伸長作動させることにより、障害物を越えて撮影部２の焦点を目標物に簡単に合わせることができ、カメラ撮影に集中することができる。
【００１９】
次に、図８は上述した携帯型カメラ１のリモートコントローラー２３を示すものであって、該リモートコントローラー２３は、カメラ本体１ａの前記した駆動制御部２２に接続ケーブル２４を介して着脱自在に接続され、該カメラ本体１ａに設けた第１〜第５のスイッチ７ａ、７ｂ、８、１０、１１と同等の機能を有して構成されており、好ましくは本発明の携帯型カメラ１と、一般に広く普及している安価なカメラ固定用三脚を併用して、当該リモートコントローラー２３で画角調整操作を行うことにより、カメラ本体１ａのみで画角調整を容易に行える携帯型カメラ１の使用応用例として、より一層の撮影効果を発揮し得るものである。
【００２０】
すなわち、上記リモートコントローラー２３は、家庭用テレビに接続するＴＶゲーム機のコントローラーに模して一対の握り部２５、２５を一体形成してなるコントローラー本体２３ａに、アーム機構５の伸縮アーム部６を伸縮作動するスライド式の第１のスイッチ７ａ、同伸縮アーム部６の左右傾動を行う第２のスイッチ７ｂ、撮影部２のズーム作動を調整するスライド式の第３のスイッチ８、録画のスタート／ストップを行う第４のスイッチ１０および撮影部２の上下チルト動作と左右方向のパン動作を行うマルチスイッチ式の第５のスイッチ１１の他に、カメラ本体１ａの電源をオンオフする電源スイッチ１ｂが備えられており、上述のように、カメラ固定用三脚にカメラ本体１ａを固定して撮影を行うに際して、撮影者はカメラ本体１ａの液晶モニター部４で撮影画像を確認しながら、リモートコントローラー２３の握り部２５、２５を両手でそれぞれ把持して各種スイッチの操作を行うことになる。
【００２１】
この時、上記コントローラー２３の操作は、ＴＶゲーム機のコントローラーと同様の操作で行えるので、複数のスイッチを同時に操作するような複雑な組み合わせ操作でも容易かつ正確に行うことができ、アーム機構５の変幻自在な画角変化を存分に取り込んだ撮影効果を、電動三脚や電動雲台を使用した場合と同等になし得るものである。
【図面の簡単な説明】
【００２２】
【図１】本発明の撮影部の画角調整構造を採用した携帯型カメラの全体斜射視図である。
【図２】（ａ）カメラ本体の右側からの全体斜視図である。（ｂ）はカメラ本体の左側からの全体斜視図である。
【図３】伸縮アーム部の一部断面要部斜視図である。
【図４】（ａ）回転駆動部の斜視図である。（ｂ）はターンテーブル、駆動ギヤ、従動ギヤの位置関係を示す要部斜視図である。
【図５】（ａ）第１〜第３のスイッチの配置を示す斜視図である。（ｂ）は第５のスイッチの正面拡大図である。
【図６】制御系統図である。
【図７】（ａ）伸縮アーム部をカメラ本体の左側に傾動させた使用状態を示す全体斜視図である。（ｂ）は伸縮アーム部をカメラ本体の右側に傾動させた使用状態を示す全体斜視図である。
【図８】リモートコントローラーの全体正面図である。
【符号の説明】
【００２３】
２      撮影部
４      モニター部
１ａ    カメラ本体
１      携帯型カメラ
５      アーム機構
６ａ    筒体
６ｂ    筒体
６ｃ    筒体
６      伸縮アーム部
５ａ    回転駆動部
１２    傾動駆動部
Ｍ１    駆動モータ
Ｍ２    駆動モータ
Ｍ３    駆動モータ
Ｍ４    駆動モータ
７ａ    第１のスイッチ
７ｂ    第２のスイッチ
８      第３のスイッチ
１０    第４のスイッチ
１１    第５のスイッチ
【図１】
2005065175.tif 000003
【図２】
2005065175.tif 000004
【図３】
2005065175.tif 000005
【図４】
2005065175.tif 000006
【図５】
2005065175.tif 000007
【図６】
2005065175.tif 000008
【図７】
2005065175.tif 000009
【図８】
2005065175.tif 000010